(57)【要約】【課題】灯具本体内への雨等の水の進入を防ぐことのできる灯具用グロメットを提供する。【解決手段】灯具本体に形成されたグロメット取付孔に取付可能なグロメット本体１０Ａを有し、グロメット本体１０Ａには、灯具本体の内外部間に通されたワイヤハーネス１７が貫通し、かつ灯具本体の内外部を連通する連通路１８が形成され、連通路１８は、灯具本体の内部から離れた側がグロメット取付穴の内壁に向けてＬ字型に折り曲げられ、その折り曲げ部１８Ａの先端開口部１８Ｂは、グロメット本体１０Ａの頂部１２に形成された切欠き１９を介して灯具本体の外部へと繋がっている。【選択図】図２
2012252847.tif 000002
【特許請求の範囲】
【請求項１】
灯具本体に形成されたグロメット取付孔に取付可能なグロメット本体を有し、
前記グロメット本体には、前記灯具本体の内外部間に通されたワイヤハーネスが貫通し、かつ前記灯具本体の内外部を連通する連通路が形成され、
該連通路は、前記灯具本体の内部から離れた側が前記グロメット取付穴の内壁に向けてＬ字型に折り曲げられ、
その折り曲げられた部分の先端開口部は、前記グロメット本体の外壁と前記グロメット取付穴の内壁との間の隙間を介して、前記灯具本体の外部へと繋がっていることを特徴とする灯具用グロメット。
【請求項２】
前記グロメット本体には、前記隙間として、前記灯具本体の内部から離れた側の端部周縁に切欠きが設けられていることを特徴とする請求項１に記載の灯具用グロメット。
【請求項３】
前記切欠きは、前記先端開口部の位置に合致して設けられていることを特徴とする請求項２に記載の灯具用グロメット。
【請求項４】
前記グロメット本体には、前記先端開口部が形成された部分に該グロメット本体の外壁を一周する溝が形成され、前記先端開口部は前記溝を介して前記切欠きに繋がっており、
前記切欠きは、前記先端開口部の位置からずれて設けられていることを特徴とする請求項２に記載の灯具用グロメット。
【請求項５】
請求項１〜４のいずれか一項に記載の灯具用グロメットを搭載したことを特徴とする車両用灯具。
【発明の詳細な説明】
【技術分野】
【０００１】
本発明は灯具用グロメットに係り、特に、灯具本体に取り付けられ、灯具内外にワイヤハーネスを通す際に設けられる灯具用グロメットに関する。
【背景技術】
【０００２】
従来より、図１６に示すように、車両用灯具１においては、アウタレンズ２、インナレンズ３、光源アセンブリ４等の部品が設けられ、これら各部品はハウジング５の内部に収容されている。そして、ハウジング５には、光源アセンブリ４への電力供給のためのソケットアセンブリ６が設けられている。また、ハウジング５には、ハウジング５の内部と外部とを連通させるための呼吸穴として、呼吸グロメット７が設けられている。なお、図１６において、符号８は車両用灯具１が取り付けられた車両のボディである。
【０００３】
しかし、上記のように、ソケットアセンブリ６と呼吸グロメット７が別部品であると、部品点数が増加するとともに、これらの部品を取り付けるための工数も増加するという問題があった。
【０００４】
そこで、光源に電力を供給するワイヤハーネスが貫通するとともに灯具本体（ハウジング）の内部と外部とを連通する呼吸パイプを有する、すなわち、ソケットアセンブリと呼吸グロメットとを一体化した構成の灯具用グロメットが提案されている（例えば、特許文献１参照）。
【先行技術文献】
【特許文献】
【０００５】
【特許文献１】実開昭６２−１３９００１号公報
【発明の概要】
【発明が解決しようとする課題】
【０００６】
しかしながら、上記従来技術では、灯具本体の内部と外部との間に略直線状の呼吸パイプが設けられているだけであるので、当該呼吸パイプを介して（つまり、灯具用グロメットを介して）外部から雨等の水が灯具本体内に浸入してくるという問題がある。
【０００７】
本発明の課題は、灯具本体内への雨等の水の浸入を防ぐことのできる灯具用グロメットを提供することにある。
【課題を解決するための手段】
【０００８】
上記課題を解決するために、請求項１に記載の発明は、灯具本体に形成されたグロメット取付孔に取付可能なグロメット本体を有し、前記グロメット本体には、前記灯具本体の内外部間に通されたワイヤハーネスが貫通し、かつ前記灯具本体の内外部を連通する連通路が形成され、該連通路は、前記灯具本体の内部から離れた側が前記グロメット取付穴の内壁に向けてＬ字型に折り曲げられ、その折り曲げられた部分の先端開口部は、前記グロメット本体の外壁と前記グロメット取付穴の内壁との間の隙間を介して、前記灯具本体の外部へと繋がっていることを特徴とする。
【０００９】
上記構成によれば、灯具本体の内外部を連通する連通路は、灯具本体の内部から離れた側がグロメット取付穴の内壁に向けてＬ字型に折り曲げられ、さらに、グロメット本体の外壁とグロメット取付穴の内壁との間の隙間を介して灯具本体の外部へと繋がっているので、雨等の水が灯具本体の内部に直接浸入してくるのを防ぐことができる。
【００１０】
請求項２に記載の発明は、請求項１において、前記グロメット本体には、前記隙間として、前記灯具本体の内部から離れた側の端部周縁に切欠きが設けられていることを特徴とする。
【００１１】
請求項３に記載の発明は、請求項２において、前記切欠きは、前記先端開口部の位置に合致して設けられていることを特徴とする。
【００１２】
請求項４に記載の発明は、請求項２において、前記グロメット本体には、前記先端開口部が形成された部分に該グロメット本体の外壁を一周する溝が形成され、前記先端開口部は前記溝を介して前記切欠きに繋がっており、前記切欠きは、前記先端開口部の位置からずれて設けられていることを特徴とする。
【００１３】
請求項５に記載の発明は車両用灯具の発明で、請求項１〜４のいずれか一項に記載の灯具用グロメットを搭載したことを特徴とする。
【発明の効果】
【００１４】
本発明によれば、灯具本体内への雨等の水の浸入を防ぐことのできる灯具用グロメットを実現することができる。
【図面の簡単な説明】
【００１５】
【図１】実施例１による灯具用グロメットを一方向から見た側面図である。
【図２】実施例１による灯具用グロメットを、図１の一方向に対して直角な方向から見た側面図である。
【図３】実施例１による灯具用グロメットが被取付部材に取り付けられたときの平面図である。
【図４】図３のＳＡ−ＳＡ線に沿った断面図である。
【図５】図３のＳＢ−ＳＢ線に沿った断面図である。
【図６】実施例１による灯具用グロメットが被取付部材に取り付けられたときの斜視図である。
【図７】実施例１による灯具用グロメットの斜視図である。
【図８】実施例１による作用効果を説明する図である。
【図９】実施例１による別の作用効果を説明する図である。
【図１０】実施例２による灯具用グロメットが被取付部材に取り付けられたときの平面図である。
【図１１】図１０のＳＣ−ＳＣ線に沿った断面図である。
【図１２】図１０のＳＤ−ＳＤ線に沿った断面図である。
【図１３】実施例２による灯具用グロメットが被取付部材に取り付けられたときの斜視図である。
【図１４】実施例２による灯具用グロメットの斜視図である。
【図１５】本発明に係る灯具用グロメットが取り付けられた車両用灯具の断面図である。
【図１６】従来技術による灯具用グロメットが取り付けられた車両用灯具の断面図である。
【発明を実施するための形態】
【００１６】
以下、本発明の実施例を図面に従って説明する。
【実施例】
【００１７】
《実施例１》
本発明に係る灯具用グロメット１０は、外観が図１及び図２に示すように構成されている。すなわち、この灯具用グロメット１０はグロメット本体１０Ａを有し、このグロメット本体１０Ａには、下端側に配置された基部１１と、上端側に配置された頂部１２と、基部１１と頂部１２との中間に配置された蛇腹部１３とが設けられている。基部１１は厚みのある円板状を、頂部１２は厚さが薄い円板状をそれぞれ成している。また、基部１１の底部外周縁にはひだ１１Ａが設けられている。蛇腹部１３は横断面が円形を成し蛇腹が形成された部分の上部つまり頂部１２に近い側に溝１４が形成されている。
【００１８】
グロメット本体１０Ａは全体がゴム材で構成され、基部１１、蛇腹部１３、及び頂部１２が一体化されている。頂部１２の外径は基部１１の外径よりも僅かに大きく設定されている。また、蛇腹部１３は、溝１４の下方に、径方向へ膨出した３つの膨出部分１３Ａ，１３Ｂ，１３Ｃを有し、このうち、膨出部分１３Ａの外径が最も大きく、膨出部分１３Ｂ，１３Ｃは膨出部分１３Ａよりも外径が小さく、かつ膨出部分１３Ｂ，１３Ｃの外径は共に等しくなっている。
【００１９】
膨出部分１３Ａの外径は頂部１２の外径よりも小さく設定されており、これにより、頂部１２と膨出部分１３Ａとの間に溝１４が形成されている。グロメット本体１０Ａは溝１４の部分が円柱状を成し、また、溝１４はグロメット本体１０Ａの外周面一周に亘って設けられている。
【００２０】
図３は灯具用グロメット１０を被取付部材１５に取り付けたときの平面図であり、また、図４は図３のＳＡ−ＳＡ線に沿った断面図、図５は図３のＳＢ−ＳＢ線に沿った断面図である。
【００２１】
本実施例では、グロメット本体１０Ａには、図５に示すように、基部１１、蛇腹部１３、及び頂部１２を貫通する２つの貫通孔１６，１６が形成され、これら貫通孔１６，１６にはワイヤハーネス１７，１７が挿通されている。これらワイヤハーネス１７，１７は、灯具本体の内外部間に引き回されており、外部から灯具本体の内部へ電力を供給するためのものである。
【００２２】
グロメット本体１０Ａは、図１及び図２に示すように、被取付部材１５のグロメット取付孔１５Ａに取り付けられる。グロメット取付孔１５Ａには、その周囲にリブ１５Ｃが設けられ、グロメット本体１０Ａの蛇腹部１３Ｂ，１３Ｃはグロメット取付孔１５Ａの内周壁に、頂部１２の外周縁はリブ１５Ｃの内壁１５Ｂにそれぞれ当接している。
【００２３】
また、グロメット本体１０Ａには、図２及び図４に示すように、呼吸穴としての２つの連通路１８，１８が形成されている。これら連通路１８，１８は、基部１１、蛇腹部１３を貫通し、さらに溝１４が形成された部分で、リブ１５Ｃの内壁１５Ｂに向かってＬ字型に折り曲げられ、その折り曲げ部１８Ａ，１８Ａの先端開口部１８Ｂ，１８Ｂが溝１４に繋がっている。
【００２４】
２つの貫通孔１６，１６と２つの連通路１８，１８は、図３に示すように、グロメット本体１０Ａを上方から見たとき、９０度間隔で交互に配置されている。また、連通路１８，１８の折り曲げ部１８Ａ，１８Ａは、図３に示すように、グロメット本体１０Ａの周方向に広がって形成されており、それらの先端開口部１８Ｂ，１８Ｂは矩形状を成している（図１参照）。
【００２５】
また、本実施例では、頂部１２には、連通路１８，１８の折り曲げ部１８Ａ，１８Ａの先端開口部１８Ｂ，１８Ｂが配置された上方の位置に、円弧状の切欠き１９，１９が形成されている。
【００２６】
本実施例による灯具用グロメットが被取付部材に取り付けられたときの様子を斜視図で示せば図６のようになる。また、本実施例による灯具用グロメットを斜視図で示せば図７のようになる。
【００２７】
次に、本実施例の作用について図８及び図９を用いて説明する。
【００２８】
連通路１８，１８は、図８に示すように、頂部１２に近い側がグロメット取付孔１５Ａの内壁１５Ｂに向けてＬ字型に折り曲げられ、さらに、グロメット本体１０Ａの外壁とグロメット取付孔１５Ａの内壁１５Ｂとの間の隙間、つまり頂部１２に形成された切欠き１９を介して被取付部材１５の上側空間Ｓ１と下側空間Ｓ２とが繋がっている。
【００２９】
そのため、例えば、上側空間Ｓ１の空気は、矢印Ａのように、頂部１２の切欠き１９、先端開口部１８Ｂ、折り曲げ部１８Ａ、連通路１８を介して下側空間Ｓ２へと流れる。また、下側空間Ｓ２の空気は、矢印Ｂのように、連通路１８、折り曲げ部１８Ａ、先端開口部１８Ｂ、頂部１２の切欠き１９を介して上側空間Ｓ１へと流れる。このように、空気が折り曲げ部１８Ａを通って流れるので、空気の中に雨等の水が混じっていても、その水は流れにくくなって、例えば、灯具本体の内部に雨等の水が直接浸入してくるのを防ぐことができる。
【００３０】
また、本実施例では、図９に示すように、グロメット本体１０Ａに蛇腹部１３を設け、この蛇腹部１３の膨出部分１３Ｂ，１３Ｃが被取付部材１５のグロメット取付孔１５Ａに押し込まれているので、ゴム材から成り弾性を有する膨出部分１３Ｂ，１３Ｃは、矢印Ｃ１，Ｃ２のように、拡径しようしてグロメット取付孔１５Ａに密接する。その結果、グロメット本体１０Ａをグロメット取付孔１５Ａに強固に取り付けることが可能となり、この点においても、雨水等の浸入を防ぐことに寄与している。
【００３１】
《実施例２》
図１０〜図１２は実施例２を示している。図１０は灯具用グロメット１０を被取付部材１５に取り付けたときの平面図であり、また、図１１は図１０のＳＣ−ＳＣ線に沿った断面図、図１２は図１０のＳＤ−ＳＤ線に沿った断面図である。
【００３２】
本実施例では、グロメット本体１０Ａの頂部１２に形成された円弧状の切欠き２１，２１の位置が実施例１の場合と異なっている。すなわち、実施例１では、切欠き１９，１９は連通路１８，１８の先端開口部１８Ｂ，１８Ｂの上方にあって、切欠き１９，１９の位置は先端開口部１８Ｂ，１８Ｂの位置に合致していた。これに対し、本実施例では、切欠き２１，２１の位置は先端開口部１８Ｂ，１８Ｂの位置に合致せず、切欠き２１，２１は、頂部１２を上方から見たとき、先端開口部１８Ｂ，１８Ｂよりも９０度ずれた位置に形成されている。他の構成は実施例１の場合と同様である。
【００３３】
本実施例による灯具用グロメットが被取付部材に取り付けられたときの様子を斜視図で示せば図１３のようになる。また、本実施例による灯具用グロメットを斜視図で示せば図１４のようになる。
【００３４】
実施例１で説明したように、グロメット本体１０Ａには、先端開口部１８Ｂ，１８Ｂが形成された部分にグロメット本体１０Ａの外壁を一周する溝１４が形成されているので、先端開口部１８Ｂ，１８Ｂは溝１４を介して切欠き２１，２１に繋がっている。
【００３５】
したがって、本実施例の場合は、図８の矢印Ａのように上側空間Ｓ１から下側空間Ｓ２へは、頂部１２の切欠き２１、溝１４、先端開口部１８Ｂ、折り曲げ部１８Ａ、連通路１８を介して流れ、また、図８の矢印Ｂのように下側空間Ｓ２から上側空間Ｓ１へは、連通路１８、折り曲げ部１８Ａ、先端開口部１８Ｂ、溝１４、頂部１２の切欠き２１を介して流れる。
【００３６】
このように、本実施例によれば、空気が折り曲げ部１８Ａを通って流れるので、空気の中に雨等の水が混じっていても、その水は流れにくくなって、例えば、灯具本体の内部に雨等の水が直接浸入してくるのを防ぐことができる。
【００３７】
《実施例３》
図１５は実施例３を示している。本実施例は、実施例１又は実施例２の灯具用グロメット１０を搭載した車両用灯具の一例を示している。
【００３８】
図１５に示すように、車両用灯具３０には、アウタレンズ３１、インナレンズ３２、ＬＥＤサーキットアセンブリ３３等が設けられ、これらはハウジング３４の内部に収容されている。そして、ハウジング３４には、実施例１又は実施例２の灯具用グロメット１０が取り付けられている。なお、図１５において、符号３５は車両用灯具３０が取り付けられた車両のボディである。
【００３９】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００４０】
例えば、ワイヤハーネスは２本に限らず３本以上でも良いし、連通路も２本に限らず３本以上でも良い。また、頂部１２の切欠きは１つでも良いし、３個以上でも良い。また切欠きは円弧状に限らず、角形状でも良い。
【符号の説明】
【００４１】
１０  灯具用グロメット
１１  基部
１２  頂部
１３  蛇腹部
１４  溝
１５  被取付部材
１７  ワイヤハーネス
１８  連通路
１８Ａ  折り曲げ部
１８Ｂ  先端開口部
１９，２１  切欠き
３０  車両用灯具
【図１】
2012252847.tif 000003
【図２】
2012252847.tif 000004
【図３】
2012252847.tif 000005
【図４】
2012252847.tif 000006
【図５】
2012252847.tif 000007
【図６】
2012252847.tif 000008
【図７】
2012252847.tif 000009
【図８】
2012252847.tif 000010
【図９】
2012252847.tif 000011
【図１０】
2012252847.tif 000012
【図１１】
2012252847.tif 000013
【図１２】
2012252847.tif 000014
【図１３】
2012252847.tif 000015
【図１４】
2012252847.tif 000016
【図１５】
2012252847.tif 000017
【図１６】
2012252847.tif 000018